(57)【要約】【課題】本考案は、実際に鍵を持ち運ぶことなく、また、ＩＣカード等の情報媒体を持ち運ぶことなく、管理面及びセキュリティ性に優れ、簡単に錠の開閉を可能とする鍵情報配信システムを提供する。【解決手段】本考案の鍵情報配信システムは、鍵管理サーバー１、利用者携帯端末２０、施開錠制御手段１２間に、通信網３０を介在させ、利用者が鍵管理サーバー１から付与された発行権限に基づき取得した鍵情報を利用者携帯端末２０を用いて送信し、利用者携帯端末２０から送信される鍵情報により動作する施開錠制御手段１２により利用対象物の扉１０に備えた電気錠１１の施開錠を行い、鍵管理サーバー１により、電気錠１１の利用者の登録、削除、登録した利用者への認証情報を含む鍵情報の発行権限及び鍵情報の付与、利用者が利用する鍵情報の管理、電気錠１１の施開錠状態の管理を行うものである。【選択図】図１
0003101576.tif 000002
【実用新案登録請求の範囲】
【請求項１】
利用対象物の扉に備えた電気錠の利用者の登録、削除、登録した利用者への認証情報を含む鍵情報の発行権限及び鍵情報の付与、利用者が利用する鍵情報の管理、電気錠の施開錠状態の管理を行う鍵管理サーバーと、
鍵管理サーバーから付与された発行権限に基づき取得した鍵情報を送信する利用者携帯端末と、
利用者携帯端末から送信される鍵情報により動作し、利用対象物の扉に備えた電気錠の施開錠を行うとともに、鍵管理サーバーから送信される鍵情報によっても動作し、電気錠の施開錠状態を鍵管理サーバーへ送信する機能を有する施開錠制御手段と、
前記鍵管理サーバー、利用者携帯端末、施開錠制御手段間に介在させる通信網と、
を有することを特徴とする鍵情報配信システム。
【請求項２】
複数の利用対象物の各扉に備えた各電気錠の利用者の登録、削除、登録した利用者への前記電気錠の個数に対応した数の認証情報を含む鍵情報の発行権限及び鍵情報の付与、利用者が利用する各鍵情報の管理、各電気錠の施開錠状態の管理を行う鍵管理サーバーと、
鍵管理サーバーから付与された発行権限に基づき取得した各鍵情報を送信する利用者携帯端末と、
利用者携帯端末から送信される各鍵情報により各々動作し、各利用対象物の扉に備えた各電気錠の施開錠を行うとともに、鍵管理サーバーから送信される各鍵情報によっても動作し、各電気錠の施開錠状態を鍵管理サーバーへ送信する機能を有する各施開錠制御手段と、
前記鍵管理サーバー、利用者携帯端末、施開錠制御手段間に介在させる通信網と、
を有することを特徴とする鍵情報配信システム。
【請求項３】
利用対象物の扉に備えた電気錠の利用者の登録、削除、登録した利用者への認証情報を含む鍵情報の発行権限及び鍵情報の付与、利用者が利用する鍵情報の管理、電気錠の施開錠状態の管理を行う鍵管理サーバーと、
鍵管理サーバーから付与された発行権限に基づき、前記電気錠の利用を委ねる他人が所有する他人携帯端末へ鍵管理サーバーを介して認証情報を含む鍵情報を発行する利用者携帯端末と、
前記鍵情報を取得した他人携帯端末から送信される鍵情報により動作し、利用対象物の扉に備えた電気錠の施開錠を行うとともに、鍵管理サーバーから送信される鍵情報によっても動作し、電気錠の施開錠状態を鍵管理サーバーへ送信する機能を有する施開錠制御手段と、
前記鍵管理サーバー、利用者携帯端末、他人携帯端末、施開錠制御手段間に介在させる通信網と、
を有することを特徴とする鍵情報配信システム。
【考案の詳細な説明】
【技術分野】
【０００１】
本考案は、住居等の扉等に電子錠を設けて管理する場合等に用いて好適な鍵情報配信システムに関するものである。
【背景技術】
【０００２】
従来、マンション、戸建て住宅等の玄関扉、倉庫の扉等においては、鍵を掛けてセキュリティの確保を行うことが当然に要請される。従来においても、ロッカー等の扉に、無線受信により動作する電気錠を設置し、携帯電話の電話番号情報を認証情報として利用し、無線通信により当該電気錠の開錠、施錠を行うようにする試みがなされている。
【０００３】
しかし、このような携帯電話の電話番号情報を利用した電気錠の開錠、施錠システムでは、携帯電話の電話番号自体が認証に必要であるため、特定の場所にある開錠、施錠対象扉（例えば住居と離れた場所にある倉庫の扉）を他人に開錠させ利用させるような場合に、携帯電話自体をその他人に渡さなければならず、現実性に乏しい。
【０００４】
また、仮にマンションの扉の電気錠の開錠の方法を知得している他人が携帯電話を入手した場合（使用者の紛失等）、マンションの管理人に連絡し、当該電気錠の開錠停止処理を依頼しなければならず、また、使用再開にも手間がかかり極めて煩雑である。さらに、携帯電話の電話番号は通常唯一であるため、複数の電気錠を一台の携帯電話だけで管理することは実際上難しい。
【０００５】
また、各種の扉に、電気錠と、ＩＣカードリーダ、又はバーコードリーダ等とを組み合わせ、ＩＣカード又はバーコードの認証情報を利用して開錠、施錠を行うようにした試みもあるが、この場合には、ＩＣカード又はバーコードを紛失した場合、取得者によって容易に電気錠が開錠されてしまうことになり、安全性に欠ける。また、紛失後において、電気錠と組み合わせたＩＣカードリーダ等の使用停止処理、使用再開処理、ＩＣカード等の再発行処理を必要とし、極めて煩雑である。
【０００６】
特許文献１には、携帯電話の認証情報を利用し、管理サーバーの制御の基に不動産物件の扉の鍵を収容している鍵保管箱をデータ送信にて手動解放可能とする鍵の無人管理システムが開示されている。しかし、この場合には、特定の場所にある扉の鍵の取り出しだけを行うものであり、用途が極めて限定されたものである。
【特許文献１】特開２００３−９９５１５号公報
【考案の開示】
【考案が解決しようとする課題】
【０００７】
考案が解決しようとする問題点は、実際に鍵を持ち運ぶことなく、また、ＩＣカード等の情報媒体を持ち運ぶことなく、セキュリティ性に優れ、自己はもとより知人等の他人の利用にも供することができ、しかも複数箇所の錠の開閉を可能とする鍵管理システムが存在しない点である。
【課題を解決するための手段】
【０００８】
本考案の鍵情報配信システムは、利用対象物の扉に備えた電気錠の利用者の登録、削除、登録した利用者への認証情報を含む鍵情報の発行権限及び鍵情報の付与、利用者が利用する鍵情報の管理、電気錠の施開錠状態の管理を行う鍵管理サーバーと、鍵管理サーバーから付与された発行権限に基づき取得した鍵情報を送信する利用者携帯端末と、利用者携帯端末から送信される鍵情報により動作し、利用対象物の扉に備えた電気錠の施開錠を行うとともに、鍵管理サーバーから送信される鍵情報によっても動作し、電気錠の施開錠状態を鍵管理サーバーへ送信する機能を有する施開錠制御手段と、前記鍵管理サーバー、利用者携帯端末、施開錠制御手段間に介在させる通信網とを有することを最も主要な特徴とする。
【０００９】
請求項２記載の考案の鍵情報配信システムは、複数の利用対象物の各扉に備えた各電気錠の利用者の登録、削除、登録した利用者への前記電気錠の個数に対応した数の認証情報を含む鍵情報の発行権限及び鍵情報の付与、利用者が利用する各鍵情報の管理、各電気錠の施開錠状態の管理を行う鍵管理サーバーと、鍵管理サーバーから付与された発行権限に基づき取得した各鍵情報を送信する利用者携帯端末と、利用者携帯端末から送信される各鍵情報により各々動作し、各利用対象物の扉に備えた各電気錠の施開錠を行うとともに、鍵管理サーバーから送信される各鍵情報によっても動作し、各電気錠の施開錠状態を鍵管理サーバーへ送信する機能を有する各施開錠制御手段と、前記鍵管理サーバー、利用者携帯端末、各施開錠制御手段間に介在させる通信網と、を有することを特徴とする。
【００１０】
請求項３記載の考案の鍵情報配信システムは、利用対象物の扉に備えた電気錠の利用者の登録、削除、登録した利用者への認証情報を含む鍵情報の発行権限及び鍵情報の付与、利用者が利用する鍵情報の管理、電気錠の施開錠状態の管理を行う鍵管理サーバーと、鍵管理サーバーから付与された発行権限に基づき、前記電気錠の利用を委ねる他人が所有する他人携帯端末へ鍵管理サーバーを介して認証情報を含む鍵情報を発行する利用者携帯端末と、前記鍵情報を取得した他人携帯端末から送信される鍵情報により動作し、利用対象物の扉に備えた電気錠の施開錠を行うとともに、鍵管理サーバーから送信される鍵情報によっても動作し、電気錠の施開錠状態を鍵管理サーバーへ送信する機能を有する施開錠制御手段と、前記鍵管理サーバー、利用者携帯端末、他人携帯端末、施開錠制御手段間に介在させる通信網と、を有することを特徴とする。
【考案の効果】
【００１１】
本考案による鍵情報配信システムによれば、物理的な鍵を用いることなく、鍵管理サーバーにおいて利用者の利用状態、電気錠の施開錠状態を管理することができるとともに、利用者は利用者携帯端末から自分が利用する電気錠の開錠、施錠を簡単に行うことができる。また、認証情報を含む鍵情報を用いることによりセキュリティを確保することができる。
【００１２】
請求項２記載の考案によれば、物理的な鍵を用いることなく、鍵管理サーバーにおいて利用者の利用状態、各電気錠の施開錠状態を管理することができるとともに、利用者は利用者携帯端末から自分が利用する複数の利用対象物の各扉に備えた各電気錠の開錠、施錠を簡単に行うことができる。また、認証情報を含む鍵情報を用いることによりセキュリティを確保することができる。
【００１３】
請求項３記載の考案によれば、物理的な鍵を用いることなく、鍵管理サーバーにおいて利用者、他人の利用状態、各電気錠の施開錠状態を管理することができるとともに、利用を委ねられた他人も自分が利用する電気錠の開錠、施錠を簡単に行うことができる。また、認証情報を含む鍵情報を用いることによりセキュリティを確保することができる。
【考案を実施するための最良の形態】
【００１４】
実際に鍵を持ち運ぶことなく、また、ＩＣカード等の情報媒体を持ち運ぶことなく、セキュリティ性に優れ、簡単に錠の開閉を可能とするという目的を、
鍵管理サーバー、利用者携帯端末、施開錠制御手段間に有線、無線による電話回線及びインターネットのような通信網を介在させ、利用者が鍵管理サーバーから付与された発行権限に基づき取得した鍵情報を利用者携帯端末を用いて送信し、利用者携帯端末から送信される鍵情報により動作する施開錠制御手段により利用対象物の扉に備えた電気錠の施開錠を行い、鍵管理サーバーにより、電気錠の利用者の登録、削除、登録した利用者への認証情報を含む鍵情報の発行権限及び鍵情報の付与、利用者が利用する鍵情報の管理、電気錠の施開錠状態の管理を行うことにより実現した。
【実施例】
【００１５】
以下、本考案の実施例を図面を参照して説明する。
（実施例１）
図１は、本考案の実施例１の鍵情報配信システムの構成を示すものであり、管理者側の鍵管理センタに配置される鍵管理サーバ１と、利用対象物、例えばウィークリーマンションの特定の扉１０等に備えた電気錠１１の施開錠制御を行うアンテナ１３付きの施開錠制御手段１２と、利用者が所有する携帯電話、通信機能付き携帯情報機器等のような利用者携帯端末２０と、前記鍵管理サーバー１、利用者携帯端末２０、施開錠制御手段１２間に介在させる通信網３０とを有している。
【００１６】
鍵管理サーバ１は、管理コンピュータ２と、各種情報の記憶を行う記憶手段３と、セキュリティ確保のためのファイアーウォール４とを具備し、このファイアーウォール４を介して通信網３０に接続されている。この鍵管理サーバ１は、前記電気錠１１の利用者の登録、削除、登録した利用者への認証情報（例えば４桁のパスワード、１０桁のＩＤ情報）を含む鍵情報の発行権限及び鍵情報の付与を通信網３０を介して行い、利用者が利用する鍵情報の管理、電気錠１１の施開錠状態の通信網３０を介しての管理を行うようになっている。
【００１７】
通信網３０は、インターネット３１、前記ファイアーウォール４とインターネット３１とを接続する電話回線３２、インターネット３１に接続された携帯電話会社のアンテナ３４を含む送受信コントローラ３３、前記インターネット３１と施開錠制御手段１２とを接続する電話回線３５等を含んで構成されている。
前記施開錠制御手段１２は、電話回線３５、インターネット３１を介して利用者が利用する鍵情報、電気錠１１の施開錠状態の情報を鍵管理サーバ１へ送り、これにより、鍵管理サーバ１は利用者の鍵情報、電気錠１１の施開錠状態の情報を前記記憶手段３に記憶し、管理することが可能となっている。
【００１８】
次に、本実施例１の鍵情報配信システムの動作について説明する。鍵管理サーバ１は、前記扉１０の電気錠１１を利用したい利用者の登録又は削除を行い、登録した利用者への認証情報（例えばパスワード、ＩＤ情報）を含む鍵情報の発行権限及び鍵情報の付与を通信網３０を介して利用者携帯端末２０へ送信する。また、鍵情報の発行権限及び鍵情報等の情報は、記憶手段３に記憶し、一元的に管理する。
【００１９】
利用者は、例えばウィークリーマンションの特定の扉１０の前に赴き、利用者携帯端末２０を使用し、取得した鍵情報を施開錠制御手段１２のアンテナ１３へ向けて送信する。これにより、施開錠制御手段１２が動作し、電気錠１１を開錠させ、利用者が扉１０を開けることを可能とする。扉１０の電気錠１１の施錠を行う場合も同様に利用者携帯端末２０を使用して行う。
【００２０】
この場合、施開錠制御手段１２は、電話回線３５、インターネット３１を介して利用者が利用する鍵情報、電気錠１１の施開錠状態の情報を鍵管理サーバ１へ送る。鍵管理サーバ１は利用者の鍵情報、電気錠１１の施開錠状態の情報を前記記憶手段３に履歴情報として記憶し、管理する。
【００２１】
このような動作を行う本実施例１の鍵情報配信システムによれば、物理的な鍵の受け渡しは不要であり、鍵管理サーバー１において利用者の利用状態、電気錠の施開錠状態を管理することができ、更に、利用者は利用者携帯端末２０から自分が利用する電気錠１１の開錠、施錠を簡単に行うことができる。また、認証情報を含む鍵情報を用いることによりシステム全体のセキュリティを確保することができる。
【００２２】
（実施例２）
図２は、本考案の実施例２の鍵情報配信システムの構成を示すものであり、基本的構成は実施例１の場合と同様であるが、複数の利用対象物の各扉１０、１０Ａを一元的に管理するように構成したものである。
【００２３】
即ち、実施例２の鍵情報配信システムは、鍵管理サーバー１により、複数の利用対象物、例えば、住居の扉１０、住居とは離隔した場所にある倉庫等の扉１０Ａに各々備えた各電気錠１１、１１Ａの利用者の登録、削除、登録した利用者への前記電気錠１１、１１Ａの個数に対応した数の認証情報を含む鍵情報の発行権限及び鍵情報の付与、利用者が利用する各鍵情報の管理、各電気錠１１、１１Ａの施開錠状態の管理を行うようになっている。複数の認証情報を含む鍵情報は、同一内容としたり又は個々に異なる内容とすることができる。
【００２４】
また、利用者携帯端末２０は、鍵管理サーバー１から付与された発行権限に基づき取得した各鍵情報を送信し、電気錠１１、１１Ａに対応する各施開錠制御手段１２、１２Ａは、利用者携帯端末から送信される各鍵情報により各々動作し、各利用対象物の扉１０、１０Ａに備えた各電気錠１１、１１Ａの施開錠を行う。また、各施開錠制御手段１２、１２Ａは、鍵管理サーバー１から送信される各鍵情報によっても動作するととも、電話回線３５、インターネット３１を介して利用者が利用する各鍵情報、電気錠１１、１１Ａの各施開錠状態の情報を鍵管理サーバー１へ送信する機能を有している。
【００２５】
実施例２の鍵情報配信システムによれば、実施例１の鍵情報配信システムと同様な動作を実現できる。また、鍵管理サーバー１において利用者の利用状態、各電気錠１１、１１Ａの施開錠状態を一元的に管理することができる。更に、利用者は、自己の利用者携帯端末２０から自分が利用する複数の利用対象物の１０、１０Ａに備えた各電気錠１１、１１Ａの開錠、施錠を各々簡単に行うことができる。この場合、認証情報を含む鍵情報を用いることによりシステム全体のセキュリティを確保することができる。
【００２６】
本実施例２の鍵情報配信システムは、上述した場合の他、同一の利用者が住居、倉庫、車庫、自己が所有又は賃貸する事務所等、さらに多数の場所の各電気錠を扱う場合に適用して好適である。
【００２７】
（実施例３）
図３は、本考案の実施例３の鍵情報配信システムの構成を示すものであり、基本的構成は実施例１の場合と同様であり、同一の機能を有する要素には同一符号を付して示す。
【００２８】
本実施例３においては、利用者が鍵管理サーバー１から付与された発行権限に基づき、利用者携帯端末２０を使用して特定の電気錠１１（自己のマンションの扉の電気錠１１）の利用を委ねる知人等の他人が所有する他人携帯端末４０へ鍵管理サーバー１を介して認証情報を含む鍵情報を発行し、当該他人は、他人携帯端末４０を使用して取得した認証情報を含む鍵情報を施開錠制御手段１２に送信するように構成したことが特徴である。
【００２９】
本実施例３の鍵情報配信システムの動作は基本的には実施例１の場合と同様であるが、鍵管理サーバー１において利用者又は他人の電気錠１１の利用状態、電気錠１１の施開錠状態を管理することができるとともに、利用を委ねられた他人も自分が利用する電気錠１１の開錠、施錠を簡単に行うことができる。さらに、本実施例３においても、認証情報を含む鍵情報を用いることによりシステム全体のセキュリティを確保することができる。また、本実施例３は、特に一人暮し利用者のマンションへ、留守中に知人等が訪問し中へ入るような場合に適用して好適である。
【００３０】
以上説明した本実施例１乃至３によれば、携帯電話自体のセキュリティ機能と相俟って優れたシステム全体として十分なセキュリティ機能を確保することができるとともに、定期的に認証情報を含む鍵情報を更新するようにすれば、更にセキュリティ性の向上を図ることができる。
【００３１】
また、従来煩雑であった賃貸マンションの退去者が有る都度シリンダー錠を交換するというような余分な時間、費用の発生を皆無とすることができる。さらに、複数の扉の鍵を鍵管理サーバーにて一元的に管理でき、この点からも運用上の経済効率を高めることができる。
【産業上の利用可能性】
【００３２】
本考案は、住居、倉庫、車庫、自己が所有又は賃貸する事務所、更には、コインロッカー、ホテルの部屋の多数の錠、スキー場、ゴルフ場等の施設の多数のロッカー錠等、他方面に適用可能である。
【図面の簡単な説明】
【００３３】
【図１】本考案の実施例１の鍵情報配信システムのブロック図である。
【図２】本考案の実施例２の鍵情報配信システムのブロック図である。
【図３】本考案の実施例３の鍵情報配信システムのブロック図である。
【符号の説明】
【００３４】
１  鍵管理サーバ
２  管理コンピュータ
３  記憶手段
４  ファイアーウォール
１０  扉
１０、１０Ａ  扉
１１、１１Ａ  電気錠
１２、１２Ａ  施開錠制御手段
１３  アンテナ
２０  利用者携帯端末
３０  通信網
３１  インターネット
３２  電話回線
３３  送受信コントローラ
３４  アンテナ
３５  電話回線
４０  他人携帯端末
【図１】
0003101576.tif 000003
【図２】
0003101576.tif 000004
【図３】
0003101576.tif 000005